(57)【要約】【課題】水溶液中に含まれる有用金属や有害金属を安価な材料で選択的に捕集可能な捕集方法を提供する。【解決手段】捕集対象金属を含む液体にアニオン性高分子化合物及びカチオン性高分子化合物をそれぞれ０．１〜１００００ｐｐｍ添加し、これらアニオン性高分子化合物とカチオン性高分子化合物の添加比率を、含有するアニオン成分とカチオン成分とのモル比を基準として１：４〜４：１の範囲内とし、生成したポリイオンコンプレックスとともに捕集対象金属を共沈させる工程を有する方法を用いる。【選択図】なし【特許請求の範囲】
【請求項１】
液体中に溶存する金属を捕集する方法であって、
捕集対象金属を含む液体にアニオン性高分子化合物及びカチオン性高分子化合物をそれぞれ０．１〜１００００ｐｐｍ添加し、これらアニオン性高分子化合物とカチオン性高分子化合物の添加比率を、含有するアニオン成分とカチオン成分とのモル比を基準として１：４〜４：１の範囲内とし、生成したポリイオンコンプレックスとともに捕集対象金属を共沈させる工程を有することを特徴とする、有用金属及び／又は有害金属の捕集方法。
【請求項２】
前記アニオン性高分子が下記式（１）〜（４）のいずれかで表される構成単位又はその塩を１種類以上含む高分子化合物であり、
前記カチオン性高分子化合物が下記一般式（５）〜（７）のいずれかで表される構成単位又はその塩を１種類以上含む高分子化合物である
ことを特徴とする、請求項１に記載の有用金属及び／又は有害金属の捕集方法。
【化１】
2014046265.tif 000012
【化２】
2014046265.tif 000013
但し、式（５）〜（７）中、Ｒ１〜Ｒ８は水素原子、又は炭素数１〜２０の直鎖状又は分岐のアルキル基又はアリール基を表し、Ｒ１〜Ｒ３及び／又はＲ４〜Ｒ５がそれぞれ環状構造をとっていてもよい。
【請求項３】
先にアニオン性高分子化合物を添加し、次にカチオン性高分子化合物を添加することにより、正電荷に帯電している金属を捕集することを特徴とする、請求項１又は２に記載の有用金属及び／又は有害金属の捕集方法。
【請求項４】
先にカチオン性高分子化合物を添加し、次にアニオン性高分子化合物を添加することにより、負電荷に帯電している金属を捕集することを特徴とする、請求項１又は２に記載の有用金属及び／又は有害金属の捕集方法。
【請求項５】
上記アニオン性高分子化合物及びカチオン性高分子化合物の添加濃度及びアニオン性基とカチオン性基との添加割合を変化させることで、捕集する有用金属・有害金属の選択性を調整することを特徴とする、請求項１〜４のいずれか１項に記載の有用金属及び／又は有害金属の捕集方法。
【発明の詳細な説明】
【技術分野】
【０００１】
本発明は、工業廃水、温泉水、地熱水、海水等の水溶液からレアメタルを捕集するためのイオン交換体及びそれを用いたレアメタルの捕集方法に関する。
【背景技術】
【０００２】
レアメタルは、ＩＴ、自動車など幅広い産業分野で利用されている。日本ではレアメタルの消費量が増大しているが、国内には原料の鉱物が埋蔵しておらず、供給は国外からの輸入に頼っている。そのため、レアメタルの供給安定化は大きな課題であり、工業廃水、温泉水、地熱水、海水等の水溶液からレアメタルを捕集する方法が得られれば、レアメタルの供給安定化につながることが期待できる。
【０００３】
一方で、工業廃水を始めとする金属含有廃液は、毒性の高い金属が含まれている場合、含有金属濃度を下げる処理を行なう必要があり、金属含有溶液から有害金属を吸着除去する方法の開発も求められている。
【０００４】
水溶液中の有用金属・有害金属を捕集する方法としては、イオン交換樹脂を用いる方法や凝集沈殿法がある。また、キレート形成基を有する金属吸着剤により金属イオンを捕集する方法、藻類による希土類金属の捕集方法等が提案されている（特許文献１，２）。
【０００５】
しかし、従来の方法には、吸着剤が高価であったり、大量の凝集剤が必要であったり、選択的な捕集を行うことができないなどの問題があり、十分満足のいく捕集方法は未だ得られていない。また、通常使用されるイオン交換体は、耐熱性・耐久性が低いため水の存在する高温下で使用することができないという問題があった。
【先行技術文献】
【特許文献】
【０００６】
【特許文献１】特開２００６−２６５８８号公報
【特許文献２】特開平６−２１２３０９号公報
【発明の概要】
【発明が解決しようとする課題】
【０００７】
本発明は上記に鑑みてなされたものであり、溶液中に含まれる有用金属や有害金属を安価な材料で選択的に捕集可能な方法を提供することを目的とする。また、高温下でも水溶液中の有用金属・有害金属を捕集できる方法を提供することを目的とする。
【課題を解決するための手段】
【０００８】
本発明の有用金属及び／又は有害金属（以下、「有用金属・有害金属」と記載する）の捕集方法は、液体中に溶存する金属を捕集する方法であって、上記の課題を解決するために、捕集対象金属を含む液体にアニオン性高分子化合物及びカチオン性高分子化合物をそれぞれ０．１〜１００００ｐｐｍ添加し、これらアニオン性高分子化合物とカチオン性高分子化合物の添加比率を、含有するアニオン成分とカチオン成分とのモル比を基準として１：４〜４：１の範囲内とし、生成したポリイオンコンプレックスとともに捕集対象金属を共沈させる工程を有する方法とする。
【０００９】
上記本発明の捕集方法においては、上記アニオン性高分子が下記式（１）〜（４）のいずれかで表される構成単位又はその塩を１種類以上含む高分子化合物であり、上記カチオン性高分子化合物が下記一般式（５）〜（７）のいずれかで表される構成単位又はその塩を１種類以上含む高分子化合物であることが好ましい。
【化１】
2014046265.tif 000002
【化２】
2014046265.tif 000003
【００１０】
但し、式（５）〜（７）中、Ｒ１〜Ｒ８は水素原子又は炭素数１〜２０の直鎖状又は分岐のアルキル基又はアリール基を表し、Ｒ１〜Ｒ３及びＲ４〜Ｒ５はそれぞれ環状構造をとっていてもよい。
【００１１】
上記本発明の上記捕集方法で正電荷に帯電している金属を捕集するためには、先にアニオン性高分子化合物を添加し、次にカチオン性高分子化合物を添加することが好ましい。
【００１２】
また、負電荷に帯電している金属を捕集するためには、先にカチオン性高分子化合物を添加し、次にアニオン性高分子化合物を添加することが好ましい。
【００１３】
上記本発明の捕集方法では、アニオン性高分子化合物及びカチオン性高分子化合物の添加濃度及びアニオン性基とカチオン性基との添加割合を変化させることで、捕集する有用金属・有害金属の選択性を調整することができる。
【発明の効果】
【００１４】
本発明の捕集方法によれば、従来よりも安価な材料を用いて、水溶液中に含まれる有用金属・有害金属を選択的に捕集することができる。また、耐熱性・耐久性が高いため、温泉水や地熱水などの熱水からも、高温のまま、有用金属・有害金属を捕集することが可能となる。
【発明を実施するための形態】
【００１５】
本発明の有用金属・有害金属の捕集方法においては、捕集対象金属を含有する溶液にアニオン性高分子化合物とカチオン性高分子化合物を共に添加し、静電気相互作用によってポリイオンコンプレックスを生成させる。
【００１６】
上記アニオン性高分子化合物は、下記一般式（１）〜（４）のいずれかで表される構成単位又はその塩を１種類以上含む高分子化合物であり、複数のアニオン性高分子化合物を併用することもできる。
【化３】
2014046265.tif 000004
【００１７】
本発明で用いられるアニオン性高分子化合物の例としては、ポリスチレンスルホン酸、ポリビニルスルホン酸、ポリビニル硫酸、ポリアクリル酸、スチレン・マレイン酸共重合体、スチレン・マレイン酸ハーフエステル共重合体、ナフタレンスルホン酸ホルマリン縮合物、カルボキシメチルセルロース、コンドロイチン硫酸、デキストラン硫酸、イタコン酸、リン酸エステル化デンプン及びこれらの塩化合物などが挙げられる。中でも、吸着効率の面から、スチレン・マレイン酸ハーフエステル共重合体が好ましい。
【００１８】
次に、上記カチオン性高分子化合物は、下記一般式（５）〜（７）のいずれかで表される構成単位又はその塩を１種類以上含む高分子化合物であり、複数のカチオン性高分子化合物を併用することもできる。
【化４】
2014046265.tif 000005
【００１９】
式（５）〜（７）中、Ｒ１〜Ｒ８は水素原子、又は置換基を有していても良い炭素数１〜２０の直鎖状又は分岐のアルキル基又はアリール基を表す。Ｒ１〜Ｒ３及びＲ４〜Ｒ５のいずれか一方又は双方は、それぞれ環状構造をとっていてもよい。
【００２０】
本発明で用いられるカチオン性高分子化合物の例としては、ポリジアリルジメチルアンモニウム、ポリアリルアミン、ポリビニルアミン、ポリエチレンイミン、ヒドロキシエチルセルロース、ヒドロキシプロピルトリメチルアンモニウム、ジメチルアミン・エピクロロヒドリン系ポリマー、ポリスチレン４級アンモニウム、ポリビニルアミジン、キトサン、ポリビニルイミダゾリニウム及びこれらの塩化合物などが挙げられる。中でも、吸着効率の面から、ポリジアリルジメチルアンモニウムが好ましい。
【００２１】
上記アニオン性高分子化合物及びカチオン性高分子化合物の重量平均分子量はそれぞれ５００〜１，０００，０００であることが好ましく、１，０００〜５００，０００であることがより好ましい。重量平均分子量が５００未満であると安定したコンプレックスを得ることができず、１，０００，０００を超えると水への溶解性が低くなり、扱いにくくなる。
【００２２】
本発明の液体中に溶存する有用金属・有害金属を捕集する方法においては、上記アニオン性高分子化合物とカチオン性高分子化合物をそれぞれ特定の濃度となるように添加し、ポリイオンコンプレックスを生成させ、生成したポリイオンコンプレックスとともに捕集対象金属を共沈させる。
【００２３】
アニオン性高分子化合物及びカチオン性高分子化合物の添加量は、捕集対象となる有用金属・有害金属の種類及び含有量によって適宜設定することができるが、通常、溶液中の濃度がそれぞれ０．１ｐｐｍ〜１００００ｐｐｍとなる量であることが好ましく、すべての金属を捕集するには１００ｐｐｍ〜５０００ｐｐｍが好ましく、特定の金属を選択的に捕集するには１００ｐｐｍ以下で適宜調整することが好ましい。
【００２４】
また、アニオン性高分子化合物とカチオン性高分子化合物の添加比率は、含有するアニオン性基、カチオン性基のモル比を基準として１：４〜４：１の範囲内であることが好ましい。ここでアニオン性基、カチオン性基とは、上記式（１）〜（７）が示す構成単位をいう。モル比が上記範囲から外れると、ポリイオンコンプレックスがゲル化する傾向が生じ、ろ別が困難となる。
【００２５】
アニオン性高分子化合物及びカチオン性高分子化合物の添加量、すなわち上記濃度及びアニオン性基とカチオン性基との割合を変化させることで、捕集する有用金属・有害金属の選択性を調整することができる。
【００２６】
金属は水溶液中では金属イオンＭｎ＋のように正電荷に帯電した状態で存在する場合が多い。しかし、オキソアニオン［ＭｘＯｙ］ｎ−やアニオン性金属錯体［Ｍｘ−Ｌｙ］ｎ−のように負電荷に帯電することもある（Ｍは金属原子、Ｌは配位子、ｎ、ｘ、ｙは１以上の整数を表す）。
【００２７】
そこで、捕集する有用金属・有害金属が正電荷に帯電している場合は、先にアニオン性高分子化合物を添加し、次にカチオン性高分子化合物を添加することで、効率よく対象金属を捕集することができる。
【００２８】
一方、捕集する有用金属・有害金属が負電荷に帯電している場合は、先にカチオン性高分子を添加し、次にアニオン性高分子を添加することで、効率よく対象金属を捕集することができる。
【００２９】
本発明の捕集方法により有用金属・有害金属を捕集する際の温度は、０℃から１５０℃の範囲内が好ましい。
【００３０】
沈殿したポリイオンコンプレックスはろ別し、吸着した有用金属・有害金属を酸で溶出させることができる。あるいは、有用金属・有害金属が吸着したポリイオンコンプレックスを焼成することによって有用金属・有害金属を取り出すこともできる。
【００３１】
上記有用金属・有害金属を溶出させるための酸としては、特に限定されるものではないが、例えば塩酸、硫酸、酢酸、硝酸、燐酸等を用いることができ、０．０１〜０．５ｍｏｌ／Ｌの酸水溶液を用いることが好ましい。
【００３２】
本発明の捕集方法により捕集する有用金属・有害金属は、水中に溶存している金属であれば特に限定されないが、例えば、リチウム、ベリリウム、ナトリウム、マグネシウム、アルミニウム、カリウム、カルシウム、スカンジウム、チタン、バナジウム、クロム、マンガン、鉄、コバルト、ニッケル、銅、亜鉛、ガリウム、ゲルマニウム、ルビジウム、ストロンチウム、イットリウム、ジルコニウム、ニオブ、モリブデン、テクネチウム、ルテニウム、ロジウム、パラジウム、銀、カドミウム、インジウム、スズ、アンチモン、セシウム、バリウム、ランタン、セリウム、プラセオジム、ネオジム、プロメチウム、サマリウム、ユーロピウム、ガドリニウム、テルビウム、ジスプロジウム、ホルミウム、エルビウム、ツリウム、イッテルビウム、ルテチウム、ハフニウム、タンタル、タングステン、レニウム、オスミウム、イリジウム、白金、金、銀、タリウム、鉛、ビスマス、ポロニウム、フランシウム、ラジウム等が挙げられる。
【００３３】
有用金属・有害金属を含有する溶液の例としては、例えば、地下水、土壌水、海水、河川水、湖水、温泉水、地熱水、工業廃水、生活廃水、下水処理水等が挙げられる。
【実施例】
【００３４】
以下、実施例により本発明をさらに具体的に説明するが、本発明は以下の実施例に限定されるものではない。なお、以下の実施例・比較例における金属含有量の測定は、ＩＣＰ発光分光分析装置により行った。
【００３５】
［模擬試料の調製］
原子吸光用標準液を蒸留水に添加し、模擬試料を調製した。模擬試料中の金属含有量を測定した結果を表１に示す。
【表１】
2014046265.tif 000006
【００３６】
［実施例１〜１１］
表２に示す以下のアニオン性高分子化合物を上記模擬試料に添加し、次いで以下のカチオン性高分子化合物を添加して、所定の温度で２時間撹拌した。なお、処理温度１５０℃の場合にはオートクレーブ中で処理を行なった。次いで、生成したポリイオンコンプレックスをろ別し、ろ液の金属含有量を測定し、次式により吸着率を求めた。結果を表２に示す。
【数１】
2014046265.tif 000007
【００３７】
ａ：吸着試験前の模擬試料の金属含有量（ｐｐｍ）
ｂ：吸着試験後のろ液の金属含有量（ｐｐｍ）
【００３８】
アニオンＡ：ポリアクリル酸ナトリウム（第一工業製薬株式会社製  製品名「シャロールＡＮ−１４４Ｐ」）
アニオンＢ：ポリアクリル酸アンモニウム（第一工業製薬株式会社製  製品名「シャロールＡＨ−１０３Ｐ」）
アニオンＣ：スチレン・マレイン酸コポリマーアンモニウム塩（第一工業製薬株式会社製  製品名「ＤＫＳディスコートＮ−１０」）
アニオンＤ：スチレン・マレイン酸ハーフエステルコポリマーアンモニウム塩（第一工業製薬株式会社製  製品名「ＤＫＳディスコートＮ−１４」）
アニオンＥ：ナフタレンスルホン酸ホルマリン縮合物（第一工業製薬株式会社製  製品名「ラベリンＦＭ−４５」）
アニオンＦ：リン酸エステル化デンプン（王子コーンスターチ（株）製  エースＰ−１３０）
【００３９】
カチオンａ：ポリジアリルジメチルアンモニウムクロリド（第一工業製薬株式会社製  製品名「シャロールＤＣ−３０３Ｐ」）
カチオンｂ：ポリアルキレンポリアミンアルキレンオキシド付加物（第一工業製薬株式会社製  製品名「ディスコール２０２」）
カチオンｃ：ポリアリルアミン（日東紡績株式会社製  製品名「ＰＡＡ−ＨＣＬ−３Ｌ」）
カチオンｄ：ポリビニルイミダゾリニウムアセテート（下記製造例１により製造）
【００４０】
［製造例１］
オートクレーブにポリアクリロニトリル１０ｇ、エチレンジアミン６０ｇ、酢酸１５ｇ、１−プロパノール１００ｇを仕込み、１２０℃で５時間反応を行った。得られた液体を減圧乾燥することによりポリビニルイミダゾリニウムアセテートを得た。
【００４１】
【表２】
2014046265.tif 000008
【００４２】
［実施例４，１２〜２２、比較例１〜３］
上記模擬試料を用いて以下の通り金属の吸着試験及び脱着試験を行った。
【００４３】
［吸着試験］
アニオンＤを模擬試料に添加し、次いでカチオンａを添加して、９０℃で２時間撹拌した。次いで、生成したポリイオンコンプレックスをろ別し、ろ液の金属含有量を測定し、上記式により吸着率を求めた。結果を表３に示す。
【表３】
2014046265.tif 000009
【００４４】
［脱着試験］
吸着試験後のポリイオンコンプレックスを用いて脱着試験を行った。上記実施例１〜９の処理後にろ別したポリイオンコンプレックスを０．１Ｎ塩酸に浸漬し、室温で７時間浸漬した。次いで、ポリイオンコンプレックスをろ別し、ろ液の金属含有量を測定し、次式により脱着率を求めた。結果を表４に示す。
【数２】
2014046265.tif 000010
【００４５】
ａ：吸着試験前の模擬試料の金属含有量
ｂ：吸着試験後（脱着試験前）のろ液の金属含有量（ｐｐｍ）
ｃ：脱着試験後のろ液の金属含有量（ｐｐｍ）
【００４６】
【表４】
2014046265.tif 000011
【産業上の利用可能性】
【００４７】
本発明の捕集方法は、地下水、土壌水、海水、河川水、湖水、温泉水、地熱水、工業廃水、生活廃水、下水処理水等の有用金属・有害金属の捕集に利用できる。また、その優れた耐熱性・耐久性により、海水よりも多くの有用金属・有害金属を含有する温泉水や地熱水からも高温のまま、有用金属・有害金属を捕集することができる。